(57)【要約】【課題】種類や動作状態に応じて必要とする電力が変化する受電装置に電力を送電する場合に省電力化を図ることを目的とする。【解決手段】カメラ本体１００とカメラ本体１００に対して交換式のレンズ２００とを有し、カメラ本体１００からレンズ２００に非接触により電力を供給する撮像装置１０であって、カメラ本体１００は、装着されたレンズ２００から、レンズ２００の給電先と給電先で必要とする電力とが関連付けられた給電先関連情報を受信する受信手段と、受信手段により受信された給電先関連情報を参照してレンズ２００の動作状態に応じて必要とする電力を生成し、レンズ２００に送電する送電手段と、を有する。【選択図】図１
2014228588.tif 000002
【特許請求の範囲】
【請求項１】
カメラ本体と前記カメラ本体に対して交換式のレンズとを有し、前記カメラ本体から前記レンズに非接触により電力を供給する撮像装置であって、
前記カメラ本体は、
装着された前記レンズから、前記レンズの給電先と前記給電先で必要とする電力とが関連付けられた給電先関連情報を受信する受信手段と、
前記受信手段により受信された給電先関連情報を参照して前記レンズの動作状態に応じて必要とする電力を生成し、前記レンズに送電する送電手段と、を有することを特徴とする撮像装置。
【請求項２】
前記カメラ本体は、
前記レンズの動作状態に応じて前記レンズの給電先を切り替えるための給電先切替指示命令を生成する生成手段と、
前記生成手段により生成された給電先切替指示命令を前記レンズに送信する送信手段と、を有し、
前記レンズは、
前記送信手段により送信された給電先切替指示命令に基づいて、前記送電手段により送電された電力を供給する給電先を切り替える給電先切替手段を有することを特徴とする請求項１に記載の撮像装置。
【請求項３】
前記レンズは、
充電可能なバックアップ電池部と、
前記レンズの給電先として、前記バックアップ電池部を充電するバックアップ充電手段と、を有し、
前記送電手段は、前記カメラ本体の低消費電力モードへの移行に応じて、前記給電先関連情報を参照して、前記バックアップ充電手段が前記バックアップ電池部に充電するために必要とする電力を生成し、前記レンズに送電することを特徴とする請求項１または２に記載の撮像装置。
【請求項４】
前記レンズは、前記送電手段が前記バックアップ充電手段により前記バックアップ電池部への充電が完了されることで送電を停止した後に、前記バックアップ電池部による充電された電力によって駆動することを特徴とする請求項３に記載の撮像装置。
【請求項５】
前記給電先関連情報には、前記レンズの給電先としての前記バックアップ充電手段に待機時間が関連付けられ、
前記送電手段は、前記バックアップ充電手段により前記バックアップ電池部への充電が完了されることで送電を停止した後に、前記給電先関連情報において前記バックアップ充電手段に関連付けられた前記待機時間の経過に応じて、前記バックアップ充電手段が前記バックアップ電池部に充電するために必要とする電力を生成し、前記レンズに送電することを特徴とする請求項３または４に記載の撮像装置。
【請求項６】
前記レンズの給電先は、前記レンズを制御する受電側マイコン制御部、ＡＦ駆動部、手振れ防止駆動部および絞り駆動部の少なくとも何れか一つを含むことを特徴とする請求項１ないし５の何れか１項に記載の撮像装置。
【請求項７】
前記カメラ本体は、前記生成手段により生成された給電先切替指示命令を前記送電手段により送電される電力に応じて変調する変調手段を有し、
前記送電手段は、前記変調手段により変調された給電先切替指示命令を送電することを特徴とする請求項２に記載の撮像装置。
【請求項８】
送電装置から受電装置に非接触により電力が供給される電力伝送装置であって、
前記送電装置は、
装着された前記受電装置から、前記受電装置の給電先と前記給電先で必要とする電力とが関連付けられた給電先関連情報を受信する受信手段と、
前記受信手段により受信された給電先関連情報を参照して前記受電装置の動作状態に応じて必要とする電力を生成し、前記受電装置に送電する送電手段と、を有することを特徴とする電力伝送装置。
【請求項９】
カメラ本体と前記カメラ本体に対して交換式のレンズとを有し、前記カメラ本体から前記レンズに非接触により電力が供給される撮像装置の制御方法であって、
前記カメラ本体では、
装着された前記レンズから、前記レンズの給電先と前記給電先で必要とする電力とが関連付けられた給電先関連情報を受信する受信ステップと、
前記受信ステップにより受信された給電先関連情報を参照して前記レンズの動作状態に応じて必要とする電力を生成し、前記レンズに送電する送電ステップと、を有することを特徴とする撮像装置の制御方法。
【請求項１０】
カメラ本体と前記カメラ本体に対して交換式のレンズとを有し、前記カメラ本体から前記レンズに非接触により電力が供給される撮像装置を制御するためのプログラムであって、
前記カメラ本体のコンピュータに、
装着された前記レンズから、前記レンズの給電先と前記給電先で必要とする電力とが関連付けられた給電先関連情報を受信する受信ステップと、
前記受信ステップにより受信された給電先関連情報を参照して前記レンズの動作状態に応じて必要とする電力を生成し、前記レンズに送電する送電ステップと、を実行させることを特徴とするプログラム。
【発明の詳細な説明】
【技術分野】
【０００１】
本発明は、撮像装置、電力伝送装置、制御方法およびプログラムに関する。
【背景技術】
【０００２】
近年の無線通信媒体の増加に伴い、送電側と受電側との間に接点部がなくても電力伝送が可能な非接触の電力伝送装置が製品化されている。このような非接触の電力伝送装置は、例えば携帯電話機や家庭用ゲーム機器のコントローラなどの充電などに多く用いられている。
【０００３】
例えば特許文献１に開示された非接触の電力伝送装置では、仮送電により送電装置からＩＤ認証を行うための電力送電を送出し、受電装置のＩＤ認証などの通信を行い安全性の確認を行う。その後に、本送電により所定の電力供給することにより、安全性と省電力化を両立させる技術が開示されている。
【先行技術文献】
【特許文献】
【０００４】
【特許文献１】特開２００９−１１１２９号公報
【発明の概要】
【発明が解決しようとする課題】
【０００５】
しかしながら、例えばカメラ本体に対して装着される交換式のレンズを有する撮像装置では、使用するレンズによって必要な電力が異なる。すなわち、使用されるレンズの種類やレンズの動作状態（オートフォーカス駆動、ズーム駆動、手振れ防止駆動）により、必要とする電力が大きく変化する。
【０００６】
このように必要とする電力が大きく変化する受電装置に非接触により電力を供給する場合には、送電装置では想定される負荷を総計した電力を常に送電することになる。したがって、電力が大きく変化する受電装置に電力を送電する場合には、送電装置の電力の消耗が大きくなるという問題がある。
【０００７】
本発明は、上述したような問題点に鑑みてなされたものであり、種類や動作状態に応じて必要とする電力が変化する受電装置に電力を送電する場合に省電力化を図ることを目的とする。
【課題を解決するための手段】
【０００８】
本発明の撮像装置は、カメラ本体と前記カメラ本体に対して交換式のレンズとを有し、前記カメラ本体から前記レンズに非接触により電力を供給する撮像装置であって、前記カメラ本体は、装着された前記レンズから、前記レンズの給電先と前記給電先で必要とする電力とが関連付けられた給電先関連情報を受信する受信手段と、前記受信手段により受信された給電先関連情報を参照して前記レンズの動作状態に応じて必要とする電力を生成し、前記レンズに送電する送電手段と、を有することを特徴とする。
【発明の効果】
【０００９】
本発明によれば、種類や動作状態に応じて必要とする電力が変化する受電装置に電力を送電する場合に省電力化を図ることができる。
【図面の簡単な説明】
【００１０】
【図１】本実施形態の撮像装置の概略構成の一例を示すブロック図である。
【図２】本実施形態の撮像装置の動作を示すフローチャートである。
【図３】給電先関連情報の一例を示す図である。
【図４】本実施形態の撮像装置の動作を示すフローチャートである。
【図５】本実施形態のレンズの動作状態と送電電力との関係を示す図である。
【発明を実施するための形態】
【００１１】
以下、本発明の好ましい実施形態について図面を参照して詳細に説明する。本実施形態は非接触の電力伝送装置として撮像装置（カメラ）１０を用いる場合について説明する。
図１は、撮像装置１０の概略構成の一例を示すブロック図である。
撮像装置１０は、送電装置としてのカメラ本体１００、カメラ本体１００に対して交換式に装着される受電装置としてのレンズ２００を有している。
【００１２】
カメラ本体１００は、レンズ２００に対してレンズ２００を駆動するための電力を送電する。
カメラ本体１００は、送電側マイコン制御部１０１、通信制御部１０２、送電制御部１０３、主電池部１０４、送電回路１０５、送電部１０７などを有している。
送電側マイコン制御部１０１は、カメラ本体１００全体を制御する。具体的には、カメラの撮影動作に関する制御を行ったり、装着されているレンズ２００に対して通信制御部１０２を介してオートフォーカス制御、絞り制御、手振れ防止制御など各種制御命令やレンズ２００の動作状態に応じた給電先切替指示命令を送信したりする。送電側マイコン制御部１０１は、不揮発性メモリとしてのＲＯＭや揮発性メモリとしてのＲＡＭを有する。ＲＯＭには、送電側マイコン制御部１０１が実行するプログラムが記憶される。ＲＡＭには、装着されたレンズ２００から受信した、後述する給電先関連情報が記憶される。
【００１３】
また、送電側マイコン制御部１０１は、予め撮影動作に応じて次に予定されるレンズの動作状態に関連する給電先（後述するＡＦ駆動部２０９、手振れ防止駆動部２１０、絞り駆動部２１１、バックアップ充電部２１２、受電側マイコン制御部２０１）を決定する。送電側マイコン制御部１０１は、給電先に応じた給電先切替指示命令を通信制御部１０２に設定すると共に、給電先関連情報を参照してレンズ２００の動作状態に応じて必要とする電力を送電制御部１０３に設定する。
【００１４】
送電回路１０５は、送電制御部１０３に設定された電力に基づいて、主電池部１０４の直流電圧を、周波数を有する交流電圧に変換し、送電部１０７に供給する。また、送電回路１０５は、通信制御部１０２に設定された給電先切替指示命令やレンズの制御命令などのデータ信号をパルス生成回路１０６を介して送電回路１０５により生成された交流電圧に変調し、送電部１０７に供給する。送電部１０７は、供給された交流電圧をレンズ２００に送電することで、給電先切替指示命令をレンズ２００に送信する。
【００１５】
レンズ２００は、カメラ本体１００の送電部１０７から電磁誘導により送電された電力を受電する。
レンズ２００は、受電側マイコン制御部２０１、通信制御部２０２、受電制御部２０３、受電回路２０４、給電先切替部２０６、電源生成回路２０７、受電部２０８を有している。また、レンズ２００は、ＡＦ駆動部２０９、手振れ防止駆動部２１０、絞り駆動部２１１、バックアップ充電部２１２、バックアップ電池部２１３などを有している。
【００１６】
受電回路２０４は、受電部２０８により受電した電力を整流回路２０５を介して、交流電圧から直流電圧に変換し電源生成回路２０７に供給する。また、受電回路２０４は、受電した電力のうち変調された給電先切替指示命令やレンズの制御命令などのデータ信号を復調し、受電制御部２０３に送信する。
受電制御部２０３は、送信された命令がレンズの制御命令の場合には通信制御部２０２を介して受電側マイコン制御部２０１に送信する。受電側マイコン制御部２０１は、レンズの制御命令に基づいてＡＦ駆動部２０９、手振れ防止駆動部２１０、絞り駆動部２１１を制御する。また、受電制御部２０３は、送信された命令が給電先切替指示命令の場合には、電源生成回路２０７の給電先切替部２０６に送信する。給電先切替部２０６は、送信された給電先切替指示命令に基づいて、電源生成回路２０７に供給された電力の給電先を切り替える。すなわち、給電先切替部２０６は、給電先切替指示命令に基づいて、ＡＦ駆動部２０９、手振れ防止駆動部２１０、絞り駆動部２１１、バックアップ充電部２１２および受電側マイコン制御部２０１への電源をＯＮ／ＯＦＦ制御する。このような給電先切替部２０６の制御により、レンズの動作状態に応じて不要な電源をＯＦＦすることが可能となり、消費電力を抑えることが可能となる。
【００１７】
受電側マイコン制御部２０１は、レンズの制御命令としての待機状態指示を受信すると、レンズ２００の各種動作を停止させ、受電側マイコン制御部２０１の動作クロックを低速クロックに変速し、低消費電力モードに移行する。この場合には、リチウムイオン電池やスーパーキャパシタのようなマイコン動作保持用の充電可能なバックアップ電池部２１３から電力が供給される。電磁誘導による送受電可能な電力では、低消費電力の生成は難しいため、バックアップ電池部２１３を用いることで、カメラ本体１００からの非接触での電力供給駆動を所定時間停止させることが可能となる。このような構成により、送電側であるカメラ本体１００の動作も停止させることができるために、更に消費電力を抑えることが可能となる。
【００１８】
次に、撮像装置１０の動作を図２に示すフローチャートおよび図３に示す給電先関連情報を参照して説明する。ここでは、レンズ２００をカメラ本体１００に装着したときの動作について説明する。
まず、給電先関連情報について説明する。
図３（ａ）は、給電先関連情報の一例を示す図である。給電先関連情報は、レンズ２００の受電側マイコン制御部２０１のＲＯＭの一部に格納されている。また、給電先関連情報は、図２に示すステップＳ４０４において受電側マイコン制御部２０１が送信し、ステップＳ３０４において送電側マイコン制御部１０１が受信するデータである。
【００１９】
図３（ａ）に示す給電先関連情報は、給電先、給電先で必要とする電力および待機時間が関連付けて構成されている。図３（ａ）に示す給電先関連情報では、８種類の給電先を指定することが可能である。ここでは、給電先に、受電側マイコン制御部、ＡＦ駆動部、手振れ防止駆動部、絞り駆動部、バックアップ充電部が記憶されている。また、電力として、各給電先において必要とする電力の情報が記憶されている。また、待機時間として、低消費電力モードに移行したときに電力供給駆動を停止してから待機する時間が記憶されている。
【００２０】
図３（ｂ）に示す命令コマンドは、受電制御部２０３が受信する給電先切替部２０６を制御するための給電先切替指示命令の一例である。また、命令コマンドは、図２に示すステップＳ３０５において送電側マイコン制御部１０１が送信し、ステップＳ４０５において受電側マイコン制御部２０１が受信するデータである。
図３（ｂ）に示す命令コマンドは、８ビットのコマンド部（給電先切替コマンド）と、コマンド部に伴う付帯情報としての８ビット以上のデータ部（給電先切替指示データ）とにより構成されている。データ部の各ビットには、図３（ａ）の給電先関連情報により示される給電先の情報が含まれている。なお、命令コマンドは、給電先切替指示命令に限られず、レンズ２００のオートフォーカスや絞り制御などのレンズの制御命令を含めてもよい。この場合、受電制御部２０３は、受信した命令コマンドを内容に応じて通信制御部２０２または給電先切替部２０６の何れかに送信する。
【００２１】
図２に示すフローチャートにおいて、ステップＳ３０１では、カメラ本体１００の送電側マイコン制御部１０１は、レンズ装着の有無を検出し、レンズ２００の装着を検出した場合にはステップＳ３０２に進む。
ステップＳ３０２では、送電側マイコン制御部１０１は、給電先切替指示命令を生成する。給電先切替指示命令は、図３（ｂ）に示す給電先切替コマンド（ｆ３ｈ）と、給電先切替コマンドに付帯する１バイトの給電先切替指示データとが含まれる。ここでは、レンズ２００の受電側マイコン制御部２０１を起動させるため、給電先は受電側マイコン制御部２０１のみである。したがって、送電側マイコン制御部１０１は、図３（ｂ）の例２に示すＢｉｔ０＝１（受電側マイコン制御部の電源ＯＮ）の２進数データ“００００００１ｂ”を生成する。なお、この時点では、送電側マイコン制御部１０１は、レンズ２００から図３（ａ）に示す給電先関連情報を受信していない。したがって、送電側マイコン制御部１０１は、送電側マイコン制御部１０１のＲＯＭに記憶された受電側マイコン制御部２０１のみを起動させる給電先切替指示命令を読み出すことで、給電先切替指示命令を生成する。送電側マイコン制御部１０１は、生成した給電先切替指示命令を送電回路１０５のパルス生成回路１０６を介して変調し、送電部１０７を介して送電することで、給電先切替指示命令をレンズ２００に送信する。
【００２２】
ステップＳ４０１では、受電回路２０４は、変調された給電先切替指示命令を復調し、受電制御部２０３に送信する。受電制御部２０３は、給電先切替指示命令を、電源生成回路２０７の給電先切替部２０６に送信する。給電先切替部２０６は、給電先切替指示命令に基づいて、受電側マイコン制御部２０１のみに電力を供給するように給電先を切り替える。このとき、その他の給電先（ＡＦ駆動部２０９、手振れ防止駆動部２１０、絞り駆動部２１１、バックアップ充電部２１２）には電力を供給せず、電源をＯＦＦのままにする。
【００２３】
ステップＳ４０２では、受電側マイコン制御部２０１は、供給された電力により起動する。また、受電側マイコン制御部２０１は、各部の初期状態を確認し、異常の有無や不図示の手振れ防止およびフォーカス制御のスイッチの状態を取得する。
ステップＳ４０３では、受電側マイコン制御部２０１は、現在の設定情報をカメラ本体１００に送信する。ここでは、受電部２０８がカメラ本体１００に情報を送信する機能も有するものとする。
ステップＳ４０４では、受電側マイコン制御部２０１は、受電側マイコン制御部２０１のＲＯＭに記憶された図３（ａ）に示す給電先関連情報をカメラ本体１００に送信する。
【００２４】
ステップＳ３０３では、送電側マイコン制御部１０１は、レンズ２００からの応答を待機し、応答を受信した場合には、ステップＳ３０４に進む。ここでは、送電部１０７がレンズ２００から送信された情報を受信する機能も有するものとする。
ステップＳ３０４では、送電側マイコン制御部１０１は、給電先関連情報を受信する。この処理は、受信手段による処理の一例に対応する。送電側マイコン制御部１０１は、受信した給電先関連情報をＲＡＭに記憶する。
【００２５】
ステップＳ３０５では、送電側マイコン制御部１０１は、オートフォーカスの制御を行うために予め送電する電力の情報を取得する。例えば、送電側マイコン制御部１０１は、ＲＡＭに記憶した給電先関連情報を参照して、受電側マイコン制御部２０１で必要とする電力とＡＦ駆動部２０９で必要とする電力とを加算した電力を算出することで、送電する電力の情報を取得する。送電側マイコン制御部１０１は、算出した電力の情報に基づいて送電回路１０５を介して電力を生成し、送電部１０７を介してレンズ２００に送電する。この処理は、送電手段による処理の一例に対応する。
更に、送電側マイコン制御部１０１は、給電先切替指示命令を生成する。この処理は、生成手段により処理の一例に対応する。ここでは、受電側マイコン制御部２０１とＡＦ駆動部２０９とを駆動させるため、給電先は受電側マイコン制御部２０１とＡＦ駆動部２０９である。したがって、送電側マイコン制御部１０１は、図３（ｂ）の例３に示す給電先切替指示データを含む給電先切替指示命令を生成する。送電側マイコン制御部１０１は、生成した給電先切替指示命令を送電回路１０５のパルス生成回路１０６を介して変調し、送電部１０７を介して送電することで、給電先切替指示命令をレンズ２００に送信する。この処理は、送信手段による処理の一例に対応する。
【００２６】
なお、送電側マイコン制御部１０１は、給電先関連情報に基づいて、レンズ２００の動作状態に応じて必要とする電力を予め算出してもよい。具体的には、送電側マイコン制御部１０１は、給電先関連情報の給電先と電力とに基づいて、レンズの動作状態とレンズの動作状態に応じて必要とする電力とを関連付けた給電先管理テーブルを生成する。例えば、レンズ２００の動作状態がオートフォーカスの場合には、図３（ａ）に示す受電側マイコン制御部２０１で必要とする電力とＡＦ駆動部２０９で必要とする電力とを加算した電力を、オートフォーカスに関連付けた給電先管理テーブルを生成する。なお、給電先管理テーブルの概略の一例を図５を参照して後述する。
【００２７】
ステップＳ４０５では、受電回路２０４は、受電部２０８により受電された交流電圧を整流回路２０５を介して直流電圧に変換し、電源生成回路２０７に供給する。また、受電回路２０４は、変調された給電先切替指示命令を復調し、受電制御部２０３に送信する。受電制御部２０３は、給電先切替指示命令を、電源生成回路２０７の給電先切替部２０６に送信する。給電先切替部２０６は、給電先切替指示命令に基づいて、受電側マイコン制御部２０１とＡＦ駆動部２０９のみに電力を供給するように給電先を切り替える。この処理は、給電先切替手段による処理の一例に対応する。
【００２８】
ステップＳ３０６では、送電側マイコン制御部１０１は、オートフォーカスの制御命令を生成し、送電回路１０５のパルス生成回路１０６を介して変調して、送電部１０７を介して送電することで、制御命令をレンズ２００に送信する。
ステップＳ４０６では、受電回路２０４は、変調されたオートフォーカスの制御命令を復調し、受電制御部２０３に送信する。受電制御部２０３は、制御命令を、通信制御部２０２を介して受電側マイコン制御部２０１に送信する。受電側マイコン制御部２０１は、オートフォーカスの制御命令に基づいて、オートフォーカス制御を行う。
【００２９】
ステップＳ３０６、Ｓ４０６以降、カメラ本体１００は、レンズ２００の動作状態に応じて電力の給電先を受電側マイコン制御部２０１、ＡＦ駆動部２０９、手振れ防止駆動部２１０および絞り駆動部２１１に切り替えると共に必要な電力を送電する。
このように、カメラ本体１００では、装着されるレンズ２００の種類に応じた給電先関連情報を受信し、給電先関連情報を参照してレンズ２００の動作状態に応じて必要とする電力を生成する。したがって、レンズ２００の種類や動作状態に応じて必要とする電力を供給することができることで、省電力化を図ることができる。
【００３０】
また、レンズ２００は、送電される電力に応じて変調された給電先切替指示命令およびレンズの制御命令に基づいて、給電先の切り替えおよびレンズ２００の制御を行う。したがって、レンズ２００には的確な消費電力が供給されると共に、レンズ２００の制御のための通信の利便性を損なうことのない非接触電力伝送が可能となる。
【００３１】
次に、撮像装置１０の低消費電力モードの動作について説明する。カメラ本体１００の送電側マイコン制御部１０１は、ユーザによる操作などが所定時間ない場合に、不要な電源を停止し、それ以外は低速駆動などの動作状態にすることで、消費電力を抑える低消費電力モードに移行する。低消費電力モードでは、レンズ２００に対しても同様の処理を行い、消費電力を抑える必要がある。
ここで、撮像装置１０の低消費電力モードの動作を図４に示すフローチャートを参照して説明する。なお、以下では、パルス生成回路１０６が給電先切替指示命令やレンズの制御命令を変調して送電部１０７が送電する処理や受電回路２０４が復調する処理は、上述した図２のフローチャートと同様であるため省略して説明する。
【００３２】
ステップＳ５０１では、送電側マイコン制御部１０１は、低消費電力モードへの移行に応じて、レンズ２００を待機動作に移行させるための待機状態指示をレンズ２００に送信する。
ステップＳ６０１では、受電側マイコン制御部２０１は、待機状態指示に応じてＡＦ駆動部２０９、手振れ防止駆動部２１０、絞り駆動部２１１などを所定の待機状態に設定すると共に動作クロックを低速クロックに変速して低消費電力モードに移行する。
【００３３】
ステップＳ５０２では、送電側マイコン制御部１０１は、受電側マイコン制御部２０１に供給される電力をバックアップ電池部２１３に切り替えるために、まず給電先をバックアップ充電部２１２に切り替え、バックアップ充電部２１２によりバックアップ電池部２１３を充電させる。
具体的には、送電側マイコン制御部１０１は、ＲＡＭに記憶した給電先関連情報を参照して、バックアップ充電部２１２で必要とする電力の情報を取得する。送電側マイコン制御部１０１は、算出した電力の情報に基づいて送電回路１０５を介して電力を生成し、送電部１０７を介してレンズ２００に送電する。
更に、送電側マイコン制御部１０１は、給電先切替指示命令を生成する。ここでは、バックアップ充電部２１２を駆動させるため、給電先はバックアップ充電部２１２である。したがって、送電側マイコン制御部１０１は、図３（ｂ）の例５に示す給電先切替指示データを含む給電先切替指示命令を生成する。送電側マイコン制御部１０１は、生成した給電先切替指示命令をレンズ２００に送信する。
【００３４】
ステップＳ６０２では、受電回路２０４は、受電部２０８により受電された交流電圧を整流回路２０５を介して直流電圧に変換し、電源生成回路２０７に供給する。また、受電回路２０４は、給電先切替指示命令を受電制御部２０３に送信する。受電制御部２０３は、給電先切替指示命令を、電源生成回路２０７の給電先切替部２０６に送信する。給電先切替部２０６が給電先切替指示命令に基づいてバックアップ充電部２１２に電力を供給するように給電先を切り替えることで、バックアップ充電部２１２はバックアップ電池部２１３を充電する。
【００３５】
ステップＳ５０３では、送電側マイコン制御部１０１は、バックアップ電池部２１３の充電が完了されることで送電を停止する。次に、送電側マイコン制御部１０１は、送電を停止した後に、電力供給駆動を停止してから待機する待機時間のカウントを開始する。送電側マイコン制御部１０１は、給電先関連情報に含まれる待機時間に基づいてカウントする。なお、カメラ本体１００からの送電が停止されている間、レンズ２００の受電側マイコン制御部２０１は、バックアップ電池部２１３から電力が供給されることで低消費電力モードの駆動を継続している。
ステップＳ５０４では、送電側マイコン制御部１０１は、待機時間が経過したか否かを判定する。待機時間が経過している場合には再びバックアップ電池部２１３を充電するためにステップＳ５０２に戻り、待機時間が経過していない場合にはステップＳ５０５に進む。なお、待機時間中は、カメラ本体１００からの送電を停止しているために電力消費を大幅に抑えることが可能である。
【００３６】
ステップＳ６０３では、受電側マイコン制御部２０１は、不図示の手振れ防止やオートフォーカスの設定操作、または低消費電力モードの解除命令コマンドの有無などの状態変化を常に検出する。状態変化を検出した場合には、ステップＳ６０４に進む。
ステップＳ６０４では、受電側マイコン制御部２０１は、カメラ本体１００に対して起動要求を送信する。
【００３７】
ステップＳ５０５では、送電側マイコン制御部１０１は、レンズ２００からの起動要求を待機し、起動要求を受信した場合には、待機状態から通常撮影状態に切り替えるための処理に移行する。
このようにレンズ２００がバックアップ電池部２１３を有することで、カメラ本体１００からレンズ２００への送電を停止することができるため、電力消費を大幅に抑えることが可能である。また、給電先関連情報に記憶される待機時間は、レンズ２００のバックアップ電池部２１３の充電容量に応じて個別に設定することが可能である。したがって、レンズ２００の種別に応じた待機時間によりバックアップ電池部２１３を充電することができるので、レンズ２００の種別に応じた省電力化を図ることができる。
【００３８】
図５は、レンズの動作状態と送電電力との関係を示す図であり、上述した給電先管理テーブルを概略的に説明する。図５では、横軸はレンズ２００の受電側マイコン制御部２０１が起動してから待機動作に移行するまでの動作状態の一例を示す時間経過であり、縦軸はレンズの動作状態に対する負荷状態と、設定する電力とを示している。図５に示すように、レンズの動作状態に応じて負荷状態が変化するために、設定する電力が大きく異なっている。
【００３９】
図５に示す時間Ｔａのように、受電側マイコン制御部２０１を起動する初期通信のみのレンズの動作状態では、レンズ２００の駆動が不要なため、電力ａを小さく設定する。このときの給電先切替指示命令には、図３（ｂ）の例２に示す給電先切替指示データを含む。
図５に示す時間Ｔｂのように、定常的に負荷を必要とする手振れ防止駆動と絞り駆動とが重なるレンズの動作状態では、電力ｂを電力ａよりも大きく設定する。このときの給電先切替指示命令には、図３（ｂ）の例６に示す給電先切替指示データを含む。
【００４０】
図５に示す時間Ｔｃのように、手振れ防止駆動と絞り駆動とＡＦ駆動の全ての動作が重なるレンズの動作状態では、電力ｃを最大の電力に設定する。このときの給電先切替指示命令には、図３（ｂ）の例４に示す給電先切替指示データを含む。
図５に示す時間Ｔｄのように、バックアップ充電時のレンズ状態では、充電時間を短縮するために、電力ｂと同様な電力に設定する。このときの給電先切替指示命令には、図３（ｂ）の例５に示す給電先切替指示データを含む。
【００４１】
このように、送電側マイコン制御部１０１は、レンズの動作状態とレンズの動作状態に応じて必要とする電力とが関連付けられた給電先管理テーブルに基づいて、レンズの動作状態に応じた電力の情報を取得して、送電制御部１０３に設定する。送電回路１０５は、送電制御部１０３に設定された電力の情報に基づいて、主電池部１０４の直流電圧を交流電圧に変換し、送電部１０７に供給することで、レンズの動作状態に応じた電力をレンズ２００に送電することができる。また、図５に示す網掛け部分は、一定の電力を送電した場合に、無効となる電力を示している。カメラ本体１００は、図５に示す網掛け部分に相当する電力を送電する必要がないために電力消費を大幅に抑えることが可能である。
【００４２】
以上、本発明の好ましい実施形態について説明したが、本発明は上述した実施形態に限定されず、その要旨の範囲内で種々の変形および変更が可能である。
例えば、上述した実施形態では、電磁誘導方式の送電として説明したが、電磁共鳴方式の送電であってもよい。
【００４３】
また、上述した実施形態では、カメラ本体１００とレンズ２００との間の通信を、送電電力への変調および復調により実現しているが、この場合に限られず光通信方式、電波通信方式の別の通信手段を用いて実現してもよい。
また、上述した実施形態では、レンズ２００の給電先がＡＦ駆動部２０９、手振れ防止駆動部２１０、絞り駆動部２１１、バックアップ充電部２１２、受電側マイコン制御部２０１である場合について説明した。しかしながら、レンズの種別によっては、ＡＦ駆動部２０９、手振れ防止駆動部２１０、絞り駆動部２１１、バックアップ充電部２１２、受電側マイコン制御部２０１の何れか１つまたは２つ以上であってもよく、その他の給電先を追加してもよい。この場合、レンズには、給電先に応じた給電先関連情報が記憶される。
【００４４】
また、本発明は、以下の処理を実行することによっても実現される。すなわち、上述した実施形態の機能を実現するプログラムを、各種記憶媒体などを介してカメラ本体１００またはレンズ２００に供給し、カメラ本体１００またはレンズ２００のコンピュータ（マイコン制御部など）がプログラムを読み出して実行する処理である。
【符号の説明】
【００４５】
１０：撮像装置  １０１：送電側マイコン制御部  １０２：通信制御部  １０３：送電制御部  １０４：主電池部  １０５：送電回路  １０６：パルス生成回路  １０７：送電部  ２０１：受電側マイコン制御部  ２０２：通信制御部  ２０３：受電制御部  ２０４：受電回路  ２０５：整流回路  ２０６：給電先切替部  ２０７：電源生成回路  ２０８：受電部  ２０９：ＡＦ駆動部  ２１０：手振れ防止駆動部  ２１１：絞り駆動部  ２１２：バックアップ充電部  ２１３：バックアップ電池部
【図１】
2014228588.tif 000003
【図２】
2014228588.tif 000004
【図３】
2014228588.tif 000005
【図４】
2014228588.tif 000006
【図５】
2014228588.tif 000007